【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、
通常状態よりも遊技者に有利な状態での遊技となる有利遊技状態を付与可能に制御する遊技制御手段と、
遊技の展開を示唆する示唆演出を実行させる示唆演出制御手段と、を備え、
前記遊技制御手段は、
有利遊技状態中に、有利遊技状態の期間を増加させ得る特別遊技状態を付与可能に構成されていると共に、
前記特別遊技状態中、有利遊技状態の期間を増加させる上乗せ処理を実行可能に構成され、
前記特別遊技状態中において、上乗せ処理の実行回数が多いときには、少ないときと比較して、有利遊技状態の期間が増加しやすくなり、
前記示唆演出制御手段は、操作手段が操作されることを契機に示唆演出を実行させ、前記示唆演出の演出内容によって、増加する有利遊技状態の期間を示唆することを特徴とする遊技機。
【請求項２】
操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、
通常状態よりも遊技者に有利な状態での遊技となる有利遊技状態を付与可能に制御する遊技制御手段と、
遊技の展開を示唆する示唆演出を実行させる示唆演出制御手段と、を備え、
前記遊技制御手段は、
有利遊技状態中に、有利遊技状態の期間を増加させ得る特別遊技状態を付与可能に構成されていると共に、
前記特別遊技状態中、前記特別遊技状態を継続させるか否かを抽選する継続抽選を実行可能に構成され、継続抽選に当選した場合には、前記特別遊技状態を継続させる一方、継続抽選に落選した場合には、特別遊技状態を終了させ、
前記特別遊技状態中において、継続抽選に当選した回数が多いときには、少ないときと比較して、継続抽選の当選確率が高くなり、
前記示唆演出制御手段は、操作手段が操作されることを契機に示唆演出を実行させ、前記示唆演出の演出内容によって、継続抽選の当選確率を示唆することを特徴とする遊技機。
【請求項３】
操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、
前記開始操作を契機に、前記停止操作に基づく入賞が許容される当選役を決定する当選役決定手段と、
通常状態よりも遊技者に有利な状態での遊技となる有利遊技状態を付与可能に制御する遊技制御手段と、
遊技の展開を示唆する示唆演出を実行させる示唆演出制御手段と、を備え、
前記遊技制御手段は、
有利遊技状態中に、有利遊技状態の期間を増加させ得る特別遊技状態を付与可能に構成されていると共に、
前記特別遊技状態中、有利遊技状態の期間を増加させる上乗せ処理を実行可能に構成され、
前記特別遊技状態中において、上乗せ処理の実行回数が多いときには、少ないときと比較して、有利遊技状態の期間が増加しやすくなり、
予め決められた特定役が決定されたときに、上乗せ処理が実行される場合には、上乗せ処理において特定役に係わらず決定される基準期間に追加して、上乗せ処理の実行回数に係わらず特定役に応じて決定された特別追加期間が増加可能に構成され、
前記示唆演出制御手段は、操作手段が操作されることを契機に示唆演出を実行させ、前記示唆演出の演出内容によって、増加する有利遊技状態の期間を示唆することを特徴とする遊技機。
【手続補正２】
【補正対象書類名】明細書
【補正対象項目名】０００６
【補正方法】変更
【補正の内容】
【０００６】
上記問題点を解決する遊技機は、操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、通常状態よりも遊技者に有利な状態での遊技となる有利遊技状態を付与可能に制御する遊技制御手段と、遊技の展開を示唆する示唆演出を実行させる示唆演出制御手段と、を備え、前記遊技制御手段は、有利遊技状態中に、有利遊技状態の期間を増加させ得る特別遊技状態を付与可能に構成されていると共に、前記特別遊技状態中、有利遊技状態の期間を増加させる上乗せ処理を実行可能に構成され、前記特別遊技状態中において、上乗せ処理の実行回数が多いときには、少ないときと比較して、有利遊技状態の期間が増加しやすくなり、前記示唆演出制御手段は、操作手段が操作されることを契機に示唆演出を実行させ、前記示唆演出の演出内容によって、増加する有利遊技状態の期間を示唆することを要旨とする。
【手続補正３】
【補正対象書類名】明細書
【補正対象項目名】０００７
【補正方法】変更
【補正の内容】
【０００７】
上記問題点を解決する遊技機は、操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、
通常状態よりも遊技者に有利な状態での遊技となる有利遊技状態を付与可能に制御する遊技制御手段と、遊技の展開を示唆する示唆演出を実行させる示唆演出制御手段と、を備え、前記遊技制御手段は、有利遊技状態中に、有利遊技状態の期間を増加させ得る特別遊技状態を付与可能に構成されていると共に、前記特別遊技状態中、前記特別遊技状態を継続させるか否かを抽選する継続抽選を実行可能に構成され、継続抽選に当選した場合には、前記特別遊技状態を継続させる一方、継続抽選に落選した場合には、特別遊技状態を終了させ、前記特別遊技状態中において、継続抽選に当選した回数が多いときには、少ないときと比較して、継続抽選の当選確率が高くなり、前記示唆演出制御手段は、操作手段が操作されることを契機に示唆演出を実行させ、前記示唆演出の演出内容によって、継続抽選の当選確率を示唆するようにしてもよい。
【手続補正４】
【補正対象書類名】明細書
【補正対象項目名】０００８
【補正方法】変更
【補正の内容】
【０００８】
上記問題点を解決する遊技機は、操作手段が操作されることにより開始操作が行われることに基づいて複数列の図柄を変動させて行う遊技が図柄表示手段で開始され、遊技の開始に基づき各列の図柄の変動が開始された後、操作手段が操作されることにより停止操作が行われることに基づいて対応する列の図柄が停止される遊技機において、
前記開始操作を契機に、前記停止操作に基づく入賞が許容される当選役を決定する当選役決定手段と、通常状態よりも遊技者に有利な状態での遊技となる有利遊技状態を付与可能に制御する遊技制御手段と、遊技の展開を示唆する示唆演出を実行させる示唆演出制御手段と、を備え、前記遊技制御手段は、有利遊技状態中に、有利遊技状態の期間を増加させ得る特別遊技状態を付与可能に構成されていると共に、前記特別遊技状態中、有利遊技状態の期間を増加させる上乗せ処理を実行可能に構成され、前記特別遊技状態中において、上乗せ処理の実行回数が多いときには、少ないときと比較して、有利遊技状態の期間が増加しやすくなり、予め決められた特定役が決定されたときに、上乗せ処理が実行される場合には、上乗せ処理において特定役に係わらず決定される基準期間に追加して、上乗せ処理の実行回数に係わらず特定役に応じて決定された特別追加期間が増加可能に構成され、前記示唆演出制御手段は、操作手段が操作されることを契機に示唆演出を実行させ、前記示唆演出の演出内容によって、増加する有利遊技状態の期間を示唆するようにしてもよい。